(57)【要約】【課題】国際規格に準拠する略長方形状のＩＣカードを短手方向で取り込んで処理するカードリーダにおいて、外部接続端子の大きさが最小になっている場合に、金属検知機構の感度を下げても、金属検知機構での検知結果に基づいて、外部接続端子が形成されたカードが挿入口に挿入されたか否かを適切に検知することが可能なカードリーダを提供する。【解決手段】このカードリーダは、カード２に形成される外部接続端子２ｂ〜２ｉを検知するための金属検知機構１０を備えており、カード挿入部４に形成されるカード通過路５の一端は、正規のカード２が傾きのない正しい姿勢で挿入口３に挿入されたときにカード２の基準端面２ｊが接触する基準面５ａとなっている。金属検知機構１０のコアの軸心ＣＬと基準面５ａとのＹ方向における距離Ｌは、１０．２５ｍｍ以上１２．２５ｍｍ以下、または、１７．８７ｍｍ以上１９．８７ｍｍ以下となっている。【選択図】図２
2015195024.tif 000002
【特許請求の範囲】
【請求項１】
ＩＣチップが内蔵されるとともに略長方形状に形成されるカードをその短手方向で取り込んで前記カードとデータの通信を行うカードリーダにおいて、
前記カードが挿入される挿入口が形成されるカード挿入部を備え、
前記カード挿入部は、前記カードのおもて面に形成される前記ＩＣチップの外部接続端子を検知するための金属検知機構を備え、
前記カード挿入部には、前記カードが通過するカード通過路が形成され、
前記金属検知機構は、磁性材料で形成されるコアと、前記コアの軸心を巻回中心にして前記コアに巻回される励磁用コイルおよび検知用コイルとを備える磁気式センサであり、
前記挿入口に挿入された前記カードの厚さ方向と前記カードの挿入方向とに直交する方向を第１方向とするとともに、前記カードの長手方向における前記カードの一方の端面を第１カード基準端面とし、前記カードの短手方向における前記カードの一方の端面を第２カード基準端面とすると、
前記第１方向における前記カード通過路の一端は、正規の前記カードが傾きのない正しい姿勢で前記挿入口に挿入されたときに前記第１カード基準端面が接触する基準面となっており、
前記第１方向における前記基準面と前記コアの軸心との距離は、１０．２５ｍｍ以上１２．２５ｍｍ以下、または、１７．８７ｍｍ以上１９．８７ｍｍ以下となっていることを特徴とするカードリーダ。
【請求項２】
前記第１方向における前記挿入口の幅は、前記カードの長手方向の幅よりも広くなっており、
前記カード挿入部は、前記挿入口に挿入される前記カードの、前記挿入方向における先端を検知するための先端検知機構を備え、
前記先端検知機構は、前記挿入方向において、前記磁気式センサよりも奥側に配置され、
正規の前記カードが正しい向きで前記挿入口に挿入される場合には、前記第２カード基準端面が前記挿入方向における奥側に配置されるとともに、前記第２カード基準端面が前記先端検知機構によって検知される前に、前記外部接続端子が前記磁気式センサによって検知され、
前記第１方向における前記基準面と前記コアの軸心との距離は、１７．８７ｍｍ以上１９．８７ｍｍ以下となっていることを特徴とする請求項１記載のカードリーダ。
【請求項３】
前記カードには、前記外部接続端子として、第１接続端子、第２接続端子、第３接続端子、第５接続端子、第６接続端子および第７接続端子が形成され、
前記第１接続端子、前記第２接続端子および前記第３接続端子は、前記カードの短手方向において前記第２カード基準端面側からこの順番で配置されるとともに、前記カードの長手方向において同じ位置に配置され、
前記第５接続端子は、前記カードの短手方向において前記第１接続端子と同じ位置に配置され、前記第６接続端子は、前記カードの短手方向において前記第２接続端子と同じ位置に配置され、前記第７接続端子は、前記カードの短手方向において前記第３接続端子と同じ位置に配置され、
前記第５接続端子、前記第６接続端子および前記第７接続端子は、前記カードの長手方向において同じ位置に配置されるとともに、前記第１接続端子、前記第２接続端子および前記第３接続端子よりも前記第１カード基準端面から離れた位置に配置され、
正規の前記カードが傾きのない正しい姿勢で前記挿入口に挿入される場合、前記第２カード基準端面が前記先端検知機構によって検知されたときに、前記コアの軸心と前記第６接続端子とが前記カードの厚さ方向において重なっていることを特徴とする請求項２記載のカードリーダ。
【請求項４】
前記カードには、複数の前記外部接続端子が形成され、
前記カード挿入部は、前記挿入口に挿入される前記カードの、前記挿入方向における先端を検知するための先端検知機構を備え、
前記先端検知機構は、前記挿入方向において、前記磁気式センサよりも奥側に配置され、
正規の前記カードが正しい向きで前記挿入口に挿入される場合には、前記第２カード基準端面が前記挿入方向における奥側に配置され、
前記カードの短手方向の、前記第２カード基準面側の方向を第２方向とし、その反対側の方向を第３方向とすると、
前記挿入方向における前記先端検知機構と前記磁気式センサとの距離は、最も前記第２方向側に配置される前記外部接続端子の前記第２方向側端と前記第２カード基準端面との前記カードの短手方向における距離より長く、かつ、最も前記第３方向側に配置される前記外部接続端子の前記第３方向側端と前記第２カード基準端面との前記カードの短手方向における距離よりも短くなっていることを特徴とする請求項１記載のカードリーダ。
【請求項５】
前記先端検知機構は、発光素子と、前記発光素子からの光を受光する受光素子とを有する光学式センサであり、
前記コアは、軸端コア部を有する薄板状に形成され、
前記軸端コア部の端面は、前記カード通過路を通過する前記カードに対向する対向面となっており、
前記軸端コア部の前記対向面は、長方形状に形成され、
前記コアは、前記軸端コア部の前記対向面の長手方向と前記第１方向とが一致するように配置され、
前記挿入方向における前記光学式センサと前記軸端コア部との距離は、最も前記第２方向側に配置される前記外部接続端子の前記第２方向側端と前記第２カード基準端面との前記カードの短手方向における距離より長く、かつ、最も前記第３方向側に配置される前記外部接続端子の前記第３方向側端と前記第２カード基準端面との前記カードの短手方向における距離よりも短くなっていることを特徴とする請求項４記載のカードリーダ。
【請求項６】
前記カードには、前記外部接続端子として、第１接続端子、第２接続端子、第３接続端子、第５接続端子、第６接続端子および第７接続端子が形成され、
前記第１接続端子、前記第２接続端子および前記第３接続端子は、前記カードの短手方向において前記第２カード基準端面側からこの順番で配置されるとともに、前記カードの長手方向において同じ位置に配置され、
前記第５接続端子は、前記カードの短手方向において前記第１接続端子と同じ位置に配置され、前記第６接続端子は、前記カードの短手方向において前記第２接続端子と同じ位置に配置され、前記第７接続端子は、前記カードの短手方向において前記第３接続端子と同じ位置に配置され、
前記第５接続端子、前記第６接続端子および前記第７接続端子は、前記カードの長手方向において同じ位置に配置されるとともに、前記第１接続端子、前記第２接続端子および前記第３接続端子よりも前記第１カード基準端面から離れた位置に配置され、
正規の前記カードが傾きのない正しい姿勢で前記挿入口に挿入される場合、前記第２カード基準端面が前記先端検知機構によって検知されたときに、前記コアの軸心と前記第６接続端子とが前記カードの厚さ方向において重なっていることを特徴とする請求項４または５記載のカードリーダ。
【発明の詳細な説明】
【技術分野】
【０００１】
本発明は、ＩＣチップが内蔵された接触式のＩＣカードを処理するためのカードリーダに関する。
【背景技術】
【０００２】
従来、ＩＣチップが内蔵された接触式のＩＣカードを処理するためのカードリーダが知られている（たとえば、特許文献１参照）。特許文献１に記載のカードリーダで使用されるカードには、ＩＣチップの外部接続端子が形成されている。また、特許文献１に記載のカードリーダは、カードが挿入される挿入口が形成されるカード挿入部を備えている。カード挿入部は、カードの外部接続端子を検知するための金属センサと、カードが通過するカード通過路を閉鎖するためのシャッタとを備えている。金属センサは、コアと、コアに巻回される励磁用コイルおよび検知用コイルとを備えている。この金属センサは、正しい向きで挿入口に挿入されたカード（すなわち、カードリーダ内でのカードの適切な処理が可能な向きで挿入口に挿入されたカード）の外部接続端子が通過する位置に配置されている。シャッタは、カードの挿入方向において、金属センサよりも奥側に配置されている。
【０００３】
特許文献１に記載のカードリーダでは、金属センサでの検知結果に基づいて、外部接続端子が形成されたカードが挿入口に挿入されたか否か（すなわち、ＩＣカードが挿入口に挿入されたか否か）を検知することが可能となっている。また、このカードリーダでは、カードが挿入口に挿入される前の待機状態において、シャッタはカード通過路を閉鎖しており、金属センサでの検知結果に基づいて、外部接続端子が形成されたカードが挿入口に挿入されたことが検知されると、シャッタが開いて、カードリーダの内部にカードが取り込まれる。
【０００４】
ＩＣチップが内蔵されたＩＣカードの形状は、国際規格によって規定されており、国際規格に準拠するＩＣカードは、四隅に丸みを持った略長方形状に形成されている。特許文献１に記載のカードリーダは、略長方形状に形成されるカード（ＩＣカード）をその長手方向で取り込んでカードに対する処理を行う。また、従来、略長方形状に形成されるカード（ＩＣカード）をその短手方向で取り込んでカードに対する処理を行うカードリーダが知られている（たとえば、特許文献２参照）。特許文献２に記載のカードリーダは、カードが挿入される挿入口が形成されるカード挿入部を備えている。このカード挿入部は、カードが通過するカード通過路を閉鎖するためのシャッタを備えている。
【０００５】
なお、ＩＣカードに形成される外部接続端子の配置範囲は、国際規格「ＩＳＯ／ＩＥＣ７８１６−２」で規定されている。具体的には、国際規格「ＩＳＯ／ＩＥＣ７８１６−２」では、図７に示すように、カード２のおもて面２ａに外部接続端子として形成される第１接続端子２ｂ、第２接続端子２ｃ、第３接続端子２ｄ、第４接続端子２ｅ、第５接続端子２ｆ、第６接続端子２ｇ、第７接続端子２ｈおよび第８接続端子２ｉの配置範囲が規定されており、第１〜第８接続端子２ｂ〜２ｉの配置範囲は、カード２の長手方向の一端面２ｊおよびカード２の短手方向の一端面２ｋを基準にして、図７（Ｂ）に示す寸法となっている。図７（Ｂ）に示す寸法の単位は、ｍｍ（ミリメートル）であり、図示された寸法値で第１〜第８接続端子２ｂ〜２ｉが形成されると、第１〜第８接続端子２ｂ〜２ｉの大きさが最小になる。なお、カード２の中には、第４接続端子２ｅと第８接続端子２ｉとが形成されないものもある。
【０００６】
また、国際規格「ＩＳＯ／ＩＥＣ７８１６−２」に準拠するカード２では、図７（Ａ）に示すように、カード２の長手方向の一端面２ｊと第１〜第４接続端子２ｂ〜２ｅとの距離Ｌ１と、カード２の長手方向の他端面２ｎと第５〜第８接続端子２ｆ〜２ｉとの距離Ｌ２とが異なっている。具体的には、距離Ｌ１は、距離Ｌ２よりも大幅に短くなっている。また、カード２の短手方向の一端面２ｋと、第１接続端子２ｂおよび第５接続端子２ｆとの距離Ｌ３と、カード２の短手方向の他端面２ｍと、第４接続端子２ｅおよび第８接続端子２ｉとの距離Ｌ４とが異なっている。具体的には、距離Ｌ３は、距離Ｌ４よりも短くなっている。
【先行技術文献】
【特許文献】
【０００７】
【特許文献１】特開２００３−３３７９２２号公報
【特許文献２】特開２０１３−１６４６７５号公報
【発明の概要】
【発明が解決しようとする課題】
【０００８】
特許文献２に記載のカードリーダに、特許文献１に記載のカードリーダが有する金属センサを設ければ、特許文献２に記載のカードリーダにおいても、金属センサでの検知結果に基づいて、外部接続端子が形成されたカードが挿入口に挿入されたか否か（すなわち、ＩＣカードが挿入口に挿入されたか否か）を検知することが可能となる。具体的には、特許文献２に記載のカードリーダにおいて、正しい向きで挿入口に挿入されたカード（すなわち、カードリーダ内でのカードの適切な処理が可能な向きで挿入口に挿入されたカード）の外部接続端子が通過する位置に金属センサが配置されれば、特許文献２に記載のカードリーダにおいても、金属センサでの検知結果に基づいて、外部接続端子が形成されたカードが挿入口に挿入されたか否かを検知することが可能となる。
【０００９】
ここで、特許文献１に記載のカードリーダのように、略長方形状に形成されるカードがその長手方向で取り込まれて処理されるカードリーダでは、カードが正しい向きで挿入口に挿入される場合、一般に、図８（Ａ）に示すように、おもて面２ａを上側に向けた状態で一端面２ｊ側から（すなわち、図８（Ａ）の矢印の方向へ）カード２が挿入される。また、上述のように、特許文献１に記載のカードリーダでは、金属センサは、正しい向きで挿入口に挿入されたカードの外部接続端子が通過する位置に配置されているため、特許文献１に記載のカードリーダにおいて、裏面２ｐを上側に向けた状態で他端面２ｎ側から（すなわち、図８（Ｂ）の矢印の方向へ）カード２が挿入されても、金属センサが配置された位置をカード２の外部接続端子が通過する。
【００１０】
しかしながら、特許文献１に記載のカードリーダには、シャッタが設けられており、また、距離Ｌ１と距離Ｌ２とが大きく相違するため、図８（Ｂ）の矢印の方向へカード２が挿入されても、カード２の外部接続端子が、金属センサが配置された位置を通過する前に他端面２ｎがシャッタに当接する。したがって、このカードリーダでは、図８（Ｂ）の矢印の方向へカード２が挿入されても、金属センサでの検知結果に基づいて、挿入されたカード２の向きが正しくないことを検知することが可能である。
【００１１】
一方、特許文献２に記載のカードリーダのように、略長方形状に形成されるカードがその短手方向で取り込まれて処理されるカードリーダでは、カードが正しい向きで挿入口に挿入される場合、たとえば、図９（Ａ）に示すように、おもて面２ａを上側に向けた状態で一端面２ｋ側から（すなわち、図９（Ａ）の矢印の方向へ）カード２が挿入される。また、上述のように、特許文献２に記載のカードリーダにおいて、外部接続端子が形成されたカードが挿入口に挿入されたか否かを検知することを可能とするために、特許文献２に記載のカードリーダでは、金属センサが、正しい向きで挿入口に挿入されたカードの外部接続端子が通過する位置に配置される。そのため、このカードリーダにおいて、裏面２ｐを上側に向けた状態で他端面２ｍ側から（すなわち、図９（Ｂ）の矢印の方向へ）カード２が挿入されても、金属センサが配置された位置をカード２の外部接続端子が通過する。
【００１２】
また、距離Ｌ３と距離Ｌ４とが大きく相違しないため、特許文献２に記載のカードリーダでは、シャッタが設けられていても、図９（Ｂ）の矢印の方向へ挿入されたカード２の他端面２ｍがシャッタに当接したときに、カード２の第１〜第８接続端子２ｂ〜２ｉが金属センサによって検知されるおそれがある。したがって、特許文献２に記載のカードリーダに金属センサが設けられる場合には、裏面２ｐを上側に向けた状態で他端面２ｍ側からカード２が挿入されたときにカード２の第１〜第８接続端子２ｂ〜２ｉを金属センサが検知しないようにして、挿入されたカード２の向きが正しいか否かを検知することが可能となるように、金属センサの感度を下げる必要がある。
【００１３】
また、特許文献１に記載のカードリーダのように、略長方形状に形成されるカードがその長手方向で取り込まれて処理される場合には、第１〜第８接続端子２ｂ〜２ｉの大きさが最小になっていても、カード２の短手方向において第１〜第４接続端子２ｂ〜２ｅのそれぞれの間の間隔が狭く、同様に、第５〜第８接続端子２ｆ〜２ｉのそれぞれの間の間隔も狭いため、カード２の短手方向（すなわち、カード２の厚さ方向とカード２の取込方向とに直交する方向）における金属センサの取付精度が比較的低くても、金属センサによって、第１〜第８接続端子２ｂ〜２ｉを検知することが可能である。したがって、特許文献１に記載のカードリーダでは、金属センサの取付精度が比較的低くても、金属センサでの検知結果に基づいて、外部接続端子が形成されたカードが挿入口に挿入されたか否かを検知することが可能である。
【００１４】
一方、特許文献２に記載のカードリーダのように、略長方形状に形成されるカードがその短手方向で取り込まれて処理される場合には、第１〜第８接続端子２ｂ〜２ｉの大きさが最小になっていると、カード２の長手方向における第１〜第４接続端子２ｂ〜２ｅと第５〜第８接続端子２ｆ〜２ｉとの間の間隔が広いため、カード２の長手方向（すなわち、カード２の厚さ方向とカード２の取込方向とに直交する方向）における金属センサの取付精度が低いと、金属センサによって第１〜第８接続端子２ｂ〜２ｉを検知することが困難になるおそれがある。たとえば、金属センサの取付精度が低くて、この金属センサのコアの軸心がカード２の長手方向において第１〜第４接続端子２ｂ〜２ｅと第５〜第８接続端子２ｆ〜２ｉとの間に配置されると、金属センサによって第１〜第８接続端子２ｂ〜２ｉを検知することが困難になるおそれがあり、その結果、金属センサでの検知結果に基づいて、外部接続端子が形成されたカードが挿入口に挿入されたか否かを検知することができないおそれがある。
【００１５】
また、上述のように、略長方形状に形成されるカードがその短手方向で取り込まれて処理されるカードリーダでは、裏面２ｐを上側に向けた状態で他端面２ｍ側からカード２が挿入されたときにカード２の第１〜第８接続端子２ｂ〜２ｉを金属センサが検知しないようにして、挿入されたカード２の向きが正しいか否かを検知することが可能となるように、金属センサの感度を下げる必要がある。そのため、第１〜第８接続端子２ｂ〜２ｉの大きさが最小になっている場合に、カード２の長手方向における金属センサの取付精度が低いと、金属センサでの検知結果に基づいて、外部接続端子が形成されたカードが挿入口に挿入されたか否かを検知することができなくなるおそれがより高くなる。
【００１６】
そこで、本発明の課題は、国際規格に準拠する略長方形状のＩＣカードをその短手方向で取り込んで処理するカードリーダにおいて、外部接続端子の大きさが最小になっている場合に、金属検知機構の感度を下げても、金属検知機構での検知結果に基づいて、外部接続端子が形成されたカードが挿入口に挿入されたか否かを適切に検知することが可能なカードリーダを提供することにある。
【課題を解決するための手段】
【００１７】
上記の課題を解決するため、本発明のカードリーダは、ＩＣチップが内蔵されるとともに略長方形状に形成されるカードをその短手方向で取り込んでカードとデータの通信を行うカードリーダにおいて、カードが挿入される挿入口が形成されるカード挿入部を備え、カード挿入部は、カードのおもて面に形成されるＩＣチップの外部接続端子を検知するための金属検知機構を備え、カード挿入部には、カードが通過するカード通過路が形成され、金属検知機構は、磁性材料で形成されるコアと、コアの軸心を巻回中心にしてコアに巻回される励磁用コイルおよび検知用コイルとを備える磁気式センサであり、挿入口に挿入されたカードの厚さ方向とカードの挿入方向とに直交する方向を第１方向とするとともに、カードの長手方向におけるカードの一方の端面を第１カード基準端面とし、カードの短手方向におけるカードの一方の端面を第２カード基準端面とすると、第１方向におけるカード通過路の一端は、正規のカードが傾きのない正しい姿勢で挿入口に挿入されたときに第１カード基準端面が接触する基準面となっており、第１方向における基準面とコアの軸心との距離は、１０．２５ｍｍ以上１２．２５ｍｍ以下、または、１７．８７ｍｍ以上１９．８７ｍｍ以下となっていることを特徴とする。
【００１８】
本発明のカードリーダでは、金属検知機構は、コアと、コアの軸心を巻回中心にしてコアに巻回される励磁用コイルおよび検知用コイルとを備える磁気式センサであり、第１方向におけるカード通過路の一端は、正規のカードが傾きのない正しい姿勢で挿入口に挿入されたときに第１カード基準端面が接触する基準面となっている。また、本発明では、第１方向における基準面とコアの軸心との距離は、１０．２５ｍｍ以上１２．２５ｍｍ以下、または、１７．８７ｍｍ以上１９．８７ｍｍ以下となっている。そのため、本発明では、国際規格「ＩＳＯ／ＩＥＣ７８１６−２」で規定されるカードが正しい向きで挿入口に挿入されたときに、コアの軸心の延長線上でカードの外部接続端子を通過させることが可能になる。具体的には、図７（Ｂ）を用いて説明すると、国際規格「ＩＳＯ／ＩＥＣ７８１６−２」で規定されるカード２が正しい向きで挿入口に挿入されたときに、コアの軸心の延長線上で、第１〜第４接続端子２ｂ〜２ｅ、または、第５〜第８接続端子２ｆ〜２ｉを通過させることが可能になる。したがって、本発明では、第１〜第８接続端子２ｂ〜２ｉの大きさが最小になっている場合に、磁気式センサの感度を下げても、磁気式センサによって、第１〜第４接続端子２ｂ〜２ｅまたは第５〜第８接続端子２ｆ〜２ｉを適切に検知することが可能になる。その結果、本発明では、外部接続端子の大きさが最小になっている場合に、金属検知機構である磁気式センサの感度を下げても、磁気式センサでの検知結果に基づいて、外部接続端子が形成されたカードが挿入口に挿入されたか否かを適切に検知することが可能になる。
【００１９】
本発明において、第１方向における挿入口の幅は、カードの長手方向の幅よりも広くなっており、カード挿入部は、挿入口に挿入されるカードの、挿入方向における先端を検知するための先端検知機構を備え、先端検知機構は、挿入方向において、磁気式センサよりも奥側に配置され、正規のカードが正しい向きで挿入口に挿入される場合には、第２カード基準端面が挿入方向における奥側に配置されるとともに、第２カード基準端面が先端検知機構によって検知される前に、外部接続端子が磁気式センサによって検知され、第１方向における基準面とコアの軸心との距離は、１７．８７ｍｍ以上１９．８７ｍｍ以下となっていることが好ましい。
【００２０】
このように構成すると、第１方向における挿入口の幅がカードの長手方向の幅よりも広くなっているため、挿入口にカードを挿入しやすくなる。一方で、このように構成すると、第１方向における挿入口の幅がカードの長手方向の幅よりも広くなっているため、挿入口に挿入されるカードが傾きやすくなる。正しい向きで挿入されるカードの第１カード基準端面側が、カードの挿入方向における手前側となるようにカードが傾いているときには、第１方向における基準面とコアの軸心との距離が１０．２５ｍｍ以上１２．２５ｍｍ以下となっている場合と比較して、第１方向における基準面とコアの軸心との距離が１７．８７ｍｍ以上１９．８７ｍｍ以下となっていると、カードの挿入方向におけるカードの奥側の端面（カードの奥端面）が先端検知機構によって検知される前のより早いタイミングにおいて、金属検知機構である磁気式センサによって、外部接続端子が形成されたカードが挿入口に挿入されたか否かを検知することが可能になる。したがって、カードの奥端面が先端検知機構によって検知された後の、カードリーダでの所定の処理を迅速に行うことが可能になる。
【００２１】
本発明において、カードには、外部接続端子として、第１接続端子、第２接続端子、第３接続端子、第５接続端子、第６接続端子および第７接続端子が形成され、第１接続端子、第２接続端子および第３接続端子は、カードの短手方向において第２カード基準端面側からこの順番で配置されるとともに、カードの長手方向において同じ位置に配置され、第５接続端子は、カードの短手方向において第１接続端子と同じ位置に配置され、第６接続端子は、カードの短手方向において第２接続端子と同じ位置に配置され、第７接続端子は、カードの短手方向において第３接続端子と同じ位置に配置され、第５接続端子、第６接続端子および第７接続端子は、カードの長手方向において同じ位置に配置されるとともに、第１接続端子、第２接続端子および第３接続端子よりも第１カード基準端面から離れた位置に配置され、正規のカードが傾きのない正しい姿勢で挿入口に挿入される場合、第２カード基準端面が先端検知機構によって検知されたときに、コアの軸心と第６接続端子とがカードの厚さ方向において重なっていることが好ましい。
【００２２】
このように構成すると、正規のカードが傾きのない正しい姿勢で挿入口に挿入される場合、第２カード基準端面が先端検知機構によって検知されたときに、コアの軸心と第５接続端子とがカードの厚さ方向において重なっている場合と比較して、カードの奥端面が先端検知機構によって検知される前のより早いタイミングにおいて、金属検知機構である磁気式センサによって、外部接続端子が形成されたカードが挿入口に挿入されたか否かを検知することが可能になる。したがって、カードの奥端面が先端検知機構によって検知された後の、カードリーダでの所定の処理を迅速に行うことが可能になる。また、このように構成すると、正規のカードが傾きのない正しい姿勢で挿入口に挿入される場合、第２カード基準端面が先端検知機構によって検知されたときに、コアの軸心と第７接続端子とがカードの厚さ方向において重なっている場合と比較して、図９（Ｂ）の矢印の方向へカード２が挿入されるとともにカード２の他端面２ｍが先端検知機構によって検知されたときの第８接続端子２ｉとコアの軸心との、カードの挿入方向における距離を長くすることが可能になる。したがって、図９（Ｂ）の矢印の方向へカード２が挿入されたときであって、かつ、他端面２ｍが先端検知機構によって検知されたときに、金属検知機構によって外部接続端子が検知されるのを確実に防止することが可能になり、その結果、カードが正しい向きで挿入されたか否かをより適切に検知することが可能になる。
【００２３】
本発明において、カードには、複数の外部接続端子が形成され、カード挿入部は、挿入口に挿入されるカードの、挿入方向における先端を検知するための先端検知機構を備え、先端検知機構は、挿入方向において、磁気式センサよりも奥側に配置され、正規のカードが正しい向きで挿入口に挿入される場合には、第２カード基準端面が挿入方向における奥側に配置され、カードの短手方向の、第２カード基準面側の方向を第２方向とし、その反対側の方向を第３方向とすると、挿入方向における先端検知機構と磁気式センサとの距離は、最も第２方向側に配置される外部接続端子の第２方向側端と第２カード基準端面とのカードの短手方向における距離より長く、かつ、最も第３方向側に配置される外部接続端子の第３方向側端と第２カード基準端面とのカードの短手方向における距離よりも短くなっていることが好ましい。
【００２４】
この場合には、たとえば、先端検知機構は、発光素子と、発光素子からの光を受光する受光素子とを有する光学式センサであり、コアは、軸端コア部を有する薄板状に形成され、軸端コア部の端面は、カード通過路を通過するカードに対向する対向面となっており、軸端コア部の対向面は、長方形状に形成され、コアは、軸端コア部の対向面の長手方向と第１方向とが一致するように配置され、挿入方向における光学式センサと軸端コア部との距離は、最も第２方向側に配置される外部接続端子の第２方向側端と第２カード基準端面とのカードの短手方向における距離より長く、かつ、最も第３方向側に配置される外部接続端子の第３方向側端と第２カード基準端面とのカードの短手方向における距離よりも短くなっている。
【発明の効果】
【００２５】
以上のように、本発明では、国際規格に準拠する略長方形状のＩＣカードをその短手方向で取り込んで処理するカードリーダにおいて、外部接続端子の大きさが最小になっている場合に、金属検知機構の感度を下げても、金属検知機構での検知結果に基づいて、外部接続端子が形成されたカードが挿入口に挿入されたか否かを適切に検知することが可能になる。
【図面の簡単な説明】
【００２６】
【図１】本発明の実施の形態にかかるカードリーダの斜視図である。
【図２】図１に示すカード挿入部の概略構成を説明するための図である。
【図３】図１に示すカード挿入部の概略構成を説明するための図である。
【図４】図２に示す金属検知機構の構成を説明するための図である。
【図５】本発明の実施の形態にかかるカード挿入部と本発明の他の実施の形態にかかるカード挿入部との効果の相違を説明するための図である。
【図６】本発明の実施の形態にかかるカード挿入部と本発明の他の実施の形態にかかるカード挿入部との効果の相違を説明するための図である。
【図７】国際規格で規定されるＩＣカードの外部接続端子の配置範囲等を説明するための図である。
【図８】従来技術の課題を説明するための図である。
【図９】従来技術の課題を説明するための図である。
【発明を実施するための形態】
【００２７】
以下、図面を参照しながら、本発明の実施の形態を説明する。
【００２８】
（カードリーダの概略構成）
図１は、本発明の実施の形態にかかるカードリーダ１の斜視図である。
【００２９】
本形態のカードリーダ１は、カード２に記録されたデータの読取およびカード２へのデータの記録の少なくとも一方を行うための装置であり、ＡＴＭ（Ａｕｔｏｍａｔｅｄ  Ｔｅｌｌｅｒ  Ｍａｃｈｉｎｅ）等の所定の上位装置に搭載されて使用される。このカードリーダ１は、カード２が挿入される挿入口３が形成されるカード挿入部４を備えている。また、カードリーダ１の内部には、挿入口３から挿入されたカード２が通過するカード通過路５（図２参照）が形成されている。すなわち、カード挿入部４には、カード２が通過するカード通過路５が形成されている。カード通過路５は、挿入口３に繋がるように形成されている。また、カードリーダ１は、カード通過路５においてカード２を搬送するカード搬送機構を備えている。
【００３０】
カード２は、厚さが０．７〜０．８ｍｍ程度の塩化ビニール製のカードである。カード２の裏面２ｐには、磁気データが記録される磁気ストライプ（図示省略）が形成されている。また、本形態のカード２は、国際規格「ＩＳＯ／ＩＥＣ７８１６−２」に準拠したＩＣカードであり、四隅に丸みを持った略長方形状に形成されている。また、カード２には、図示を省略するＩＣチップが内蔵されるとともに、図７に示すように、カード２のおもて面２ａには、外部接続端子として、第１接続端子２ｂ、第２接続端子２ｃ、第３接続端子２ｄ、第４接続端子２ｅ、第５接続端子２ｆ、第６接続端子２ｇ、第７接続端子２ｈおよび第８接続端子２ｉが形成されている。
【００３１】
上述のように、国際規格「ＩＳＯ／ＩＥＣ７８１６−２」では、第１〜第８接続端子２ｂ〜２ｉの配置範囲が規定されており、第１〜第８接続端子２ｂ〜２ｉの配置範囲は、カード２の長手方向の一端面２ｊおよびカード２の短手方向の一端面２ｋを基準にして、図７（Ｂ）に示す寸法となっている。また、本形態では、たとえば、図７（Ｂ）に示す寸法値で第１〜第８接続端子２ｂ〜２ｉが形成されており、第１〜第８接続端子２ｂ〜２ｉの大きさは最小になっている。
【００３２】
なお、図７等に示すように、第１〜第４接続端子２ｂ〜２ｅは、カード２の短手方向において一端面２ｋ側からこの順番で配置されるとともに、カード２の長手方向において同じ位置に配置されている。また、カード２の短手方向において、第５接続端子２ｆは、第１接続端子２ｂと同じ位置に配置され、第６接続端子２ｇは、第２接続端子２ｃと同じ位置に配置され、第７接続端子２ｈは、第３接続端子２ｄと同じ位置に配置され、第８接続端子２ｉは、第４接続端子２ｅと同じ位置に配置されている。また、第５〜第８接続端子２ｆ〜２ｉは、カード２の長手方向において同じ位置に配置されるとともに、第１〜第４接続端子２ｂ〜２ｅよりも一端面２ｊから離れた位置に配置されている。本形態の一端面２ｊは、カード２の長手方向におけるカード２の一方の端面である第１カード基準端面となっており、一端面２ｋは、カード２の短手方向におけるカード２の一方の端面である第２カード基準端面となっている。
【００３３】
本形態では、図１に示すＸ方向でカード２が搬送される。具体的には、Ｘ１方向にカード２が挿入されて取り込まれ、Ｘ２方向にカード２が排出される。すなわち、Ｘ方向は、カード２の搬送方向であり、Ｘ１方向は、カード２の挿入方向であり、Ｘ２方向は、カード２の排出方向である。また、Ｘ１方向側は、カード２の挿入方向における奥側である。また、本形態では、カード２の短手方向とＸ方向とが一致するように、カード２が、カードリーダ１に挿入されてカードリーダ１内で搬送される。すなわち、カードリーダ１は、カード２の短手方向でカード２を取り込んで、カード２とデータの通信を行う。
【００３４】
また、Ｘ方向に直交するＺ方向は、カードリーダ１内に取り込まれたカード２の厚さ方向である。本形態では、Ｚ方向と鉛直方向とが一致するようにカードリーダ１が配置されている。また、Ｘ方向とＺ方向とに直交するＹ方向は、挿入口３に挿入されるカード２の幅方向であり、カードリーダ１の内部に傾きのない正しい姿勢で取り込まれたときのカード２の長手方向である。本形態のＹ方向は、挿入口３に挿入されるカード２の厚さ方向とカード２の挿入方向とに直交する第１方向となっている。なお、以下の説明では、Ｘ方向を「前後方向」、Ｙ方向を「左右方向」、Ｚ方向を「上下方向」とし、また、Ｘ１方向側を「奥（後ろ）」側、Ｘ２方向側を「前」側、Ｙ１方向側を「右」側、Ｙ２方向側を「左」側、Ｚ１方向側を「上」側、Ｚ２方向側を「下」側とする。
【００３５】
また、カードリーダ１は、上述の構成に加えて、カード２に当接してカード２に記録された磁気データの読取やカード２への磁気データの記録を行う磁気ヘッドと、カード２の搬送方向に直交する左右方向へ磁気ヘッドを移動させるヘッド移動機構と、カード２の外部接続端子（第１〜第８接続端子２ｂ〜２ｉ）に接触してデータの通信を行うためのＩＣ接点ブロックと、ＩＣ接点ブロックを移動させる接点ブロック移動機構と、カードリーダ１の内部に取り込まれたカード２を位置決めするための位置決め機構とを備えている。
【００３６】
ヘッド移動機構は、磁気ヘッドが搭載されるキャリッジ、左右方向へキャリッジを案内するガイド軸、キャリッジを左右方向へ送るリードスクリュー、磁気ヘッドを上下動させるためのカム板、および、ガイド軸を中心とするキャリッジの回動を防止するための回動防止軸等を備えている。このヘッド移動機構は、磁気ヘッドを左右方向へ移動させるとともに、磁気ヘッドがカード２の磁気ストライプに当接可能な位置と磁気ヘッドがカード通過路５から退避する位置との間で磁気ヘッドを上下動させる。本形態のヘッド移動機構は、カード通過路５の下側へ磁気ヘッドを退避させる。
【００３７】
ＩＣ接点ブロックは、カード２の外部接続端子に接触する複数のＩＣ接点バネ等を備えている。接点ブロック移動機構は、ＩＣ接点バネが外部接続端子に接触可能な位置と、ＩＣ接点バネがカード通過路５から退避する位置との間でＩＣ接点ブロックを移動させる。本形態の接点ブロック移動機構は、カード通過路５の上側へＩＣ接点バネを退避させる。位置決め機構は、カードリーダ１の内部に取り込まれたカード２の奥端が当接する位置決め部材等を備えている。この位置決め機構は、磁気ヘッドやＩＣ接点ブロックがデータの読取や記録を行う際に、カード２を位置決めする。
【００３８】
（カード挿入部の構成）
図２、図３は、図１に示すカード挿入部４の概略構成を説明するための図である。図４は、図２に示す金属検知機構１０の構成を説明するための図である。
【００３９】
カード挿入部４は、カードリーダ１の前面側部分を構成している。このカード挿入部４は、カード２の外部接続端子を検知するための金属検知機構１０と、挿入口３に挿入されたカード２の奥端（すなわち、挿入方向におけるカード２の先端）を検知するための先端検知機構１１と、カード通過路５を開閉するシャッタ部材１２とを備えている。
【００４０】
左右方向における挿入口３の幅は、カード２の長手方向の幅よりも広くなっている。カード通過路５の左端は、挿入口３に挿入されたカード２の左端面が接触する基準面５ａとなっている。すなわち、左右方向におけるカード通過路５の一端は、挿入口３に挿入されたカード２の左右方向における一端面が接触する基準面５ａとなっている。基準面５ａは、上下方向と前後方向とから構成されるＺＸ平面と平行に形成されている。また、基準面５ａは、カード通過路５で搬送されるカード２の搬送基準面となっている。カード挿入部４には、たとえば、板バネ等の付勢部材（図示省略）が配置されており、挿入口３に挿入されたカード２は、この付勢部材の付勢力によって、カード２の左端面が基準面５ａに接触するように左方向へ付勢される。
【００４１】
本形態では、おもて面２ａを上側に向けた状態でカード２の短手方向の一端面２ｋ側からカード２が挿入口３に挿入される場合が、カード２が正しい向きで挿入口３に挿入される場合である。そのため、正規のカード２が傾きのない正しい姿勢で挿入口３に挿入されるときには、おもて面２ａが上側を向き、一端面２ｋが奥側に配置されるとともに、カード２の長手方向の一端面２ｊが基準面５ａに当接する。なお、本明細書では、「カード２が正しい向きで挿入口３に挿入される」には、カード２の短手方向が前後方向に対して傾いた状態でカード２が挿入口３に挿入される場合も含まれる。一方、本明細書において、「カード２が傾きのない正しい姿勢で挿入口３に挿入される」とは、カード２が正しい向きで、かつ、カード２の短手方向が前後方向に対して傾いていない状態で、カード２が挿入口３に挿入されることを意味する。
【００４２】
先端検知機構１１は、発光素子と、発光素子からの光を受光する受光素子とを有する光学式のセンサである。本形態の先端検知機構１１は、透過型の光学式センサであり、カード通過路５を上下方向で挟むように発光素子と受光素子とが配置されている。先端検知機構１１は、前後方向において、金属検知機構１０よりも奥側に配置されている。なお、先端検知機構１１は、反射型の光学式センサであっても良い。
【００４３】
金属検知機構１０は、図４に示すように、磁性材料で形成されるコア１５と、コア１５の軸心ＣＬを巻回中心にしてコア１５に巻回される一対の励磁用コイル１６、１７および検知用コイル１８とを備える磁気式センサである。コア１５は、図４の紙面垂直方向を厚さ方向とする薄板状に形成されている。このコア１５は、軸心ＣＬの軸方向における略中央に配置される中央コア部１５ａと、軸心ＣＬの軸方向において中央コア部１５ａの両端側のそれぞれに配置される一対の軸端コア部１５ｂと、中央コア部１５ａと軸端コア部１５ｂとの間に配置される鍔部１５ｃとによって構成されている。軸心ＣＬの軸方向における軸端コア部１５ｂの端面は、長方形状に形成されている。
【００４４】
励磁用コイル１６、１７は、一対の軸端コア部１５ｂのそれぞれに巻回されている。検知用コイル１８は、中央コア部１５ａに巻回されている。励磁用コイル１６、１７の一端側は、可変抵抗２０に接続されている。可変抵抗２０は、交流電源２１に接続されている。励磁用コイル１６、１７の他端側は、接地されている。検知用コイル１８の両端部は、図示を省略する検知回路に接続されている。金属検知機構１０は、励磁用コイル１６、１７が発生させる磁界の変化を検知用コイル１８で検知することで、カード２の外部接続端子を検知する。
【００４５】
金属検知機構１０は、カード通過路５の上側に配置されている。また、金属検知機構１０は、コア１５の軸心ＣＬの軸方向と上下方向とが一致するように配置されており、軸心ＣＬの軸方向における軸端コア部１５ｂの端面は、カード通過路５を通過するカード２に対向する対向面となっている。上述のように、軸心ＣＬの軸方向における軸端コア部１５ｂの端面は、長方形状に形成されており、コア１５は、軸心ＣＬの軸方向における軸端コア部１５ｂの端面の長手方向と左右方向とが一致するように配置されている。なお、コア１５の形状は、上下方向から見たときに軸心ＣＬを通過する前後方向に平行な直線に対して線対称な形状となっており、軸心ＣＬは、軸端コア部１５ｂの左右方向の中心位置にもなっている。
【００４６】
また、本形態では、左右方向における基準面５ａとコア１５の軸心ＣＬとの距離Ｌは、１７．８７ｍｍ以上１９．８７ｍｍ以下となっている。すなわち、本形態では、正規のカード２が傾きのない正しい姿勢で挿入口３に挿入されたときに、コア１５の軸心ＣＬの延長線上を第５〜第８接続端子２ｆ〜２ｉが通過するように金属検知機構１０が配置されている。たとえば、基準面５ａと軸心ＣＬとの距離Ｌは、１８．８７ｍｍとなっている。
【００４７】
また、本形態では、正規のカード２が正しい向きで挿入口３に挿入された場合、カード２の一端面２ｋが先端検知機構１１によって検知される前に、金属検知機構１０によってカード２の外部接続端子が検知されるように、金属検知機構１０が配置されている。具体的には、図２に示すように、正規のカード２が傾きのない正しい姿勢で挿入口３に挿入された場合、一端面２ｋが先端検知機構１１によって検知されたときに（より具体的には、先端検知機構１１の発光素子と受光素子との間に一端面２ｋが到達したときに）、コア１５の軸心ＣＬと第６接続端子２ｇとが上下方向で重なるように、金属検知機構１０が配置されており、一端面２ｋが先端検知機構１１によって検知される前に、少なくとも、金属検知機構１０によって第５接続端子２ｆが検知されている。すなわち、前後方向におけるコア１５の軸心ＣＬと先端検知機構１１との距離は、カード２の一端面２ｋと第６接続端子２ｇとの距離と略等しくなっている。
【００４８】
すなわち、カード２の短手方向の、一端面２ｋ側の方向を第２方向とし、その反対側の方向（他端面２ｍ側の方向）を第３方向とすると、前後方向における先端検知機構１１と金属検知機構１０との距離は、最も第２方向側に配置される第１接続端子２ｂおよび第５接続端子２ｆの第２方向側端と一端面２ｋとのカード２の短手方向における距離Ｌ３よりも長く、かつ、最も第３方向側に配置される第４接続端子２ｅおよび第８接続端子２ｉの第３方向側端と一端面２ｋとのカード２の短手方向における距離Ｌ５（図７参照）よりも短くなっている。すなわち、前後方向における先端検知機構１１と軸端コア部１５ｂとの距離は、第１接続端子２ｂおよび第５接続端子２ｆの第２方向側端と一端面２ｋとのカード２の短手方向における距離Ｌ３よりも長く、かつ、第４接続端子２ｅおよび第８接続端子２ｉの第３方向側端と一端面２ｋとのカード２の短手方向における距離Ｌ５よりも短くなっている。
【００４９】
また、本形態では、正規のカード２が、裏面２ｐを上側に向けた状態でカード２の短手方向の他端面２ｍ側から挿入口３に挿入された場合には、図３に示すように、他端面２ｍが先端検知機構１１によって検知されたときに、第８接続端子２ｉは、前後方向において、金属検知機構１０が配置された位置まで到達していない。そのため、本形態のカードリーダ１では、カード２の奥端面が先端検知機構１１によって検知されたときの金属検知機構１０での検知結果に基づいて、正規のカード２が正しい向きで挿入口３に挿入されたか否かを検知することが可能である。
【００５０】
シャッタ部材１２は、前後方向において、先端検知機構１１よりも奥側に配置されている。シャッタ部材１２には、ソレノイド等を有する駆動機構（図示省略）が連結されている。シャッタ部材１２は、カード通過路５に配置されてカード通過路５を閉鎖する閉鎖位置と、カード通過路５の下側に退避してカード通過路５を開放する開放位置との間で移動可能となっている。
【００５１】
（カードリーダの概略動作）
以上のように構成されたカードリーダ１では、挿入口３にカード２が挿入される前の待機時に、シャッタ部材１２は閉鎖位置にあり、カード通過路５を閉鎖している。シャッタ部材１２は、金属検知機構１０および先端検知機構１１での検知結果に基づいて、正規のカード２が正しい向きで挿入口３に挿入されたことが検知されると、開放位置へ移動する。また、正規のカード２が正しい向きで挿入口３に挿入されたことが検知されると、カード搬送機構がカード２を奥側へ搬送して、磁気ヘッドによる磁気データの読取、記録や、ＩＣ接点ブロックによるデータの読取、記録が行われる。
【００５２】
（本形態の主な効果）
以上説明したように、本形態では、正規のカード２が傾きのない正しい姿勢で挿入口３に挿入されたときに、コア１５の軸心ＣＬの延長線上を第５〜第８接続端子２ｆ〜２ｉが通過するように配置されている。そのため、本形態では、第１〜第８接続端子２ｂ〜２ｉの大きさが最小になっている場合に、磁気式センサである金属検知機構１０の感度を下げても、金属検知機構１０によって、第５〜第８接続端子２ｆ〜２ｉを適切に検知することが可能になる。したがって、本形態では、カード２の外部接続端子が最小になっている場合に、金属検知機構１０の感度を下げても、金属検知機構１０での検知結果に基づいて、外部接続端子が形成されたカード２が挿入口３に挿入されたか否かを適切に検知することが可能になる。
【００５３】
本形態では、正規のカード２が傾きのない正しい姿勢で挿入口３に挿入された場合、一端面２ｋが先端検知機構１１によって検知されたときに、コア１５の軸心ＣＬと第６接続端子２ｇとが上下方向で重なるように、金属検知機構１０が配置されている。そのため、本形態では、正規のカード２が傾きのない正しい姿勢で挿入口３に挿入された場合、一端面２ｋが先端検知機構１１によって検知されたときに、コア１５の軸心ＣＬと第５接続端子２ｆとが上下方向で重なるように、金属検知機構１０が配置されている場合と比較して、カード２の奥端面が先端検知機構１１によって検知される前のより早いタイミングにおいて、金属検知機構１０によって、外部接続端子が形成されたカード２が挿入口３に挿入されたか否かを検知することが可能になる。したがって、本形態では、カード２の奥端面が先端検知機構１１によって検知された後の、カードリーダ１での所定の処理を迅速に行うことが可能になる。
【００５４】
また、正規のカード２が傾きのない正しい姿勢で挿入口３に挿入された場合、一端面２ｋが先端検知機構１１によって検知されたときに、コア１５の軸心ＣＬと第７接続端子２ｈとが上下方向で重なるように、金属検知機構１０が配置されている場合と比較して、図９（Ｂ）の矢印の方向へカード２が挿入されるとともに他端面２ｍが先端検知機構１１によって検知されたときの第８接続端子２ｉとコア１５の軸心ＣＬとの前後方向の距離を長くすることが可能になる。したがって、本形態では、図９（Ｂ）の矢印の方向へカード２が挿入されたときであって、かつ、他端面２ｍが先端検知機構１１によって検知されたときに、金属検知機構１０によって第８接続端子２ｉが検知されるのを確実に防止することが可能になり、その結果、カード２が正しい向きで挿入されたか否かをより適切に検知することが可能になる。
【００５５】
本形態では、左右方向における挿入口３の幅は、カード２の長手方向の幅よりも広くなっている。そのため、本形態では、カード２が短手方向でカードリーダ１に取り込まれる場合であっても、挿入口３にカード２を挿入しやすくなる。
【００５６】
（他の実施の形態）
上述した形態は、本発明の好適な形態の一例ではあるが、これに限定されるものではなく本発明の要旨を変更しない範囲において種々変形実施が可能である。
【００５７】
上述した形態では、左右方向における基準面５ａとコア１５の軸心ＣＬとの距離Ｌは、１７．８７ｍｍ以上１９．８７ｍｍ以下となっている。この他にもたとえば、基準面５ａと軸心ＣＬとの距離Ｌは、１０．２５ｍｍ以上１２．２５ｍｍ以下となっていても良い。すなわち、正規のカード２が傾きのない正しい姿勢で挿入口３に挿入されたときに、コア１５の軸心ＣＬの延長線上を第１〜第４接続端子２ｂ〜２ｅが通過するように金属検知機構１０が配置されても良い（図５（Ｂ）、図６（Ｂ）参照）。たとえば、基準面５ａと軸心ＣＬとの距離Ｌは、１１．２５ｍｍとなっていても良い。この場合の金属検知機構１０は、たとえば、正規のカード２が傾きのない正しい姿勢で挿入口３に挿入された場合、一端面２ｋが先端検知機構１１によって検知されたときに、コア１５の軸心ＣＬと第２接続端子２ｃとが上下方向で重なるように配置される。このようにしても、第１〜第８接続端子２ｂ〜２ｉの大きさが最小になっている場合に、金属検知機構１０の感度を下げても、金属検知機構１０によって、第１〜第４接続端子２ｂ〜２ｅを適切に検知することが可能になるため、金属検知機構１０での検知結果に基づいて、外部接続端子が形成されたカード２が挿入口３に挿入されたか否かを適切に検知することが可能になる。
【００５８】
ただし、カードリーダ１では、左右方向における挿入口３の幅がカード２の長手方向の幅よりも広くなっており、カード２が傾きやすいため、基準面５ａと軸心ＣＬとの距離Ｌは、１７．８７ｍｍ以上１９．８７ｍｍ以下となっている方が好ましい。図５に示すように、正しい向きで挿入されるカード２の一端面２ｊ側が手前側となるようにカード２が傾いており、傾きのない正しい姿勢でカード２が挿入されるときよりも金属検知機構１０による外部接続端子の検知が遅れるときには、左右方向に基準面５ａと軸心ＣＬとの距離Ｌが１０．２５ｍｍ以上１２．２５ｍｍ以下となっている場合（図５（Ｂ）に示す場合）と比較して、左右方向における基準面５ａと軸心ＣＬとの距離Ｌが１７．８７ｍｍ以上１９．８７ｍｍ以下となっていると（図５（Ａ）参照）、カード２の奥端面が先端検知機構１１によって検知される前のより早いタイミングにおいて、金属検知機構１１によって、外部接続端子が形成されたカード２が挿入口３に挿入されたか否かを検知することが可能になり、その結果、カード２の奥端面が先端検知機構１１によって検知された後の、カードリーダ２での所定の処理を迅速に行うことが可能になるからである。
【００５９】
また、図６に示すように、図９（Ｂ）の矢印の方向へカード２が挿入されるとともに、カード２の他端面２ｎ側が手前側となるようにカード２が傾いている場合に、他端面２ｍが先端検知機構１１によって検知されたときを考えると、基準面５ａと軸心ＣＬとの距離Ｌが１７．８７ｍｍ以上１９．８７ｍｍ以下となっている場合の第８接続端子２ｉとの前後方向の距離は、基準面５ａと軸心ＣＬとの距離Ｌが１０．２５ｍｍ以上１２．２５ｍｍ以下となっている場合の第４接続端子２ｅと軸心ＣＬとの前後方向の距離よりも長くなる。したがって、基準面５ａと軸心ＣＬとの距離Ｌが１７．８７ｍｍ以上１９．８７ｍｍ以下となっていると、図９（Ｂ）の矢印の方向へカード２が挿入されるとともに、カード２の他端面２ｎ側が手前側となるようにカード２が傾いている場合に、他端面２ｍが先端検知機構１１によって検知されたときの、金属検知機構１０によるカード２の外部接続端子の検知を確実に防止することが可能になり、その結果、カード２が正しい向きで挿入されたか否かをより適切に検知することが可能になるからである。
【００６０】
上述した形態では、金属検知機構１０は、コア１５の軸心ＣＬの軸方向と上下方向とが一致するように配置されている。この他にもたとえば、金属検知機構１０は、左右方向から見たときに、上下方向に対してコア１５の軸心ＣＬが傾くように配置されても良い。この場合には、たとえば、正規のカード２が傾きのない正しい姿勢で挿入口３に挿入された場合、一端面２ｋが先端検知機構１１によって検知されたときに、軸心ＣＬの延長線が第６接続端子２ｇを通過するように、金属検知機構１０が配置される。
【００６１】
上述した形態では、正規のカード２が傾きのない正しい姿勢で挿入口３に挿入された場合、一端面２ｋが先端検知機構１１によって検知されたときに、コア１５の軸心ＣＬと第６接続端子２ｇとが上下方向で重なるように、金属検知機構１０が配置されている。この他にもたとえば、正規のカード２が傾きのない正しい姿勢で挿入口３に挿入された場合、一端面２ｋが先端検知機構１１によって検知されたときに、第５接続端子２ｆ、第７接続端子２ｈまたは第８接続端子２ｉと、コア１５の軸心ＣＬとが上下方向で重なるように、金属検知機構１０が配置されても良い。
【００６２】
上述した形態では、金属検知機構１０は、一対の励磁用コイル１６、１７を備えているが、金属検知機構１０が備える励磁用コイルの数は１個であっても良い。また、上述した形態では、先端検知機構１１は、光学式のセンサであるが、先端検知機構１１は、マイクロスイッチ等の機械式のセンサであっても良い。また、先端検知機構１１は、カード２に接触して移動するレバー部材と、このレバー部材の動きを検知する光学式または機械式のセンサとから構成されても良い。また、上述した形態では、カード２の裏面２ｐに磁気ストライプが形成されているが、カード２の裏面２ｐに磁気ストライプが形成されなくても良い。
【００６３】
上述した形態では、カードリーダ１は、カード搬送機構を有するカード搬送式のカードリーダであるが、カードリーダ１は、カード搬送機構を有しない手動式のカードリーダであっても良い。たとえば、カードリーダ１は、いわゆるディップ式のカードリーダであっても良い。
【符号の説明】
【００６４】
１  カードリーダ
２  カード
２ａ  おもて面
２ｂ  第１接続端子（外部接続端子）
２ｃ  第２接続端子（外部接続端子）
２ｄ  第３接続端子（外部接続端子）
２ｅ  第４接続端子（外部接続端子）
２ｆ  第５接続端子（外部接続端子）
２ｇ  第６接続端子（外部接続端子）
２ｈ  第７接続端子（外部接続端子）
２ｉ  第８接続端子（外部接続端子）
２ｊ  一端面（第１カード基準端面）
２ｋ  一端面（第２カード基準端面）
３  挿入口
４  カード挿入部
５  カード通過路
５ａ  基準面
１０  金属検知機構（磁気式センサ）
１１  先端検知機構（光学式センサ）
１５  コア
１５ｂ  軸端コア部
１６、１７  励磁用コイル
１８  検知用コイル
ＣＬ  軸心
Ｌ  第１方向における基準面とコアの軸心との距離
Ｘ１  カードの挿入方向
Ｙ  第１方向
Ｚ  カードの厚さ方向
【図１】
2015195024.tif 000003
【図２】
2015195024.tif 000004
【図３】
2015195024.tif 000005
【図４】
2015195024.tif 000006
【図５】
2015195024.tif 000007
【図６】
2015195024.tif 000008
【図７】
2015195024.tif 000009
【図８】
2015195024.tif 000010
【図９】
2015195024.tif 000011